(57)【特許請求の範囲】
【請求項１】
板状の弾性体を折り曲げることにより形成される一対の挟持片（２，２）と、前記挟持片（２，２）を連結する連結片（３）と、各挟持片（２，２）の先端縁から各々の挟持片に沿って隙間（８，８）を保って外側へ折り返してなる補助片（４，４）と、前記挟持片を開閉するための一対のレバー（５，５）と、前記隙間（８，８）には各レバー（５，５）を支える軸部（６，６）とを備え隙間（８，８）の幅は当該レバー（５，５）の太さに略一致しており、当該軸部は、挟持片中心より連結片側寄りかつ挟持片中心より左側寄り、又は挟持片中心より連結片側寄りかつ挟持片中心より右側寄りの位置に配置され、各レバーは当該軸部に軸支される形状を一部に有する略楕円形状の環体であって、軸部（６，６）の中心を支点とし各レバー（５，５）が回動し、前記挟持片の開閉操作をする起立位置と該起立位置から略９０度回動した倒れた位置とを移動可能であることにより、倒れた位置では隙間（８，８）外に露出している各レバー（５，５）をスライドさせることなく隙間（８，８）内に収納できることを特徴とするクリップ。
【請求項２】
前記隙間（８，８）内には一対のレバー（５，５）を開閉操作する位置で位置決めするための回動規制手段（７，７）が設けてあることを特徴とする請求項１記載のクリップ。
【請求項３】
前記回動規制手段（７，７）は突条（７，７）であり、隙間（８，８）内へのレバー（５，５）の収納時に当該レバー（５，５）と交差するように設けてあることを特徴とする請求項２記載のクリップ。
【請求項４】
前記レバー（５，５）を前記軸部（６，６）に対し軸支を補助するための円弧状突部（９，９）が設けてあることを特徴とする請求項３記載のクリップ。
【発明の詳細な説明】
【技術分野】
【０００１】
この発明は書類等を挟持するクリップに関するものである。
【背景技術】
【０００２】
書類をまとめる場合には、ダブルクリップと称されるクリップが広く用いられている。従来の一般的なダブルクリップは、板状の弾性体を折り曲げて形成された一対の挟持片と、これらを連結する連結片と、挟持片先端縁に回動自在に取り付けられた一対のレバーとで構成されており、クリップの開閉や書類を捲る場合にはレバーをクリップ後方に倒し、書類を保管する場合は、レバーを前に倒して使用する。
【０００３】
しかしながら、前記ダブルクリップには、綴った書類を捲る際に、レバーが邪魔となる問題点があった。さらには、綴った書類の閲覧時や保管時、またはクリップの開閉時の各時点に応じてレバーを前後に倒す操作を行わなければならないといった煩わしさがあった。
【０００４】
これらの問題点を解消するため、挟持片表面に沿って回動するレバーを設けたダブルクリップが発明され、その結果、書類が捲りやすくなり、書類の閲覧時や保管時のレバー操作の煩わしさも解消された（例えば、特許文献１、特許文献２、特許文献３、特許文献４）。
しかしながら上記発明においても、レバーもしくはその結合部は外面に露出しており、コンパクトさが無く、その露出しているレバー等の部分に物が引っ掛かったりする問題点があった。また、下記、文献５、文献６に開示されている発明はコンパクトさを実現しているが、「回動」―「スライド」と二つの操作が必要であり、煩わしさを感ずる人もいると思われる。
【先行技術文献】
【特許文献】
【０００５】
【特許文献１】実公昭６０−１８９５０
【特許文献２】実開昭６２−０２２８７３
【特許文献３】特開平０８−７２４５３
【特許文献４】特開平０８−２１４９６３
【特許文献５】特開平１０−３１５６７３
【特許文献６】特開２０１０−１５８７７４
【発明の概要】
【発明が解決しようとする課題】
【０００６】
そこで本発明は、上記の問題点を解決するためになされたものであり
コンパクトで、使い勝手の良いクリップを提供することを目的とする。
【課題を解決するための手段】
【０００７】
上記目的を達成するために、本発明のうち請求項１記載の発明は、板状の弾性体を折り曲げることにより形成される一対の挟持片と、前記挟持片を連結する連結片と、各挟持片の先端縁から各々の挟持片に沿って隙間を保って外側へ折り返してなる補助片と、前記挟持片を開閉するための一対のレバーと、前記隙間には各レバーを支える軸部とを備える。隙間の幅は当該レバーの太さに略一致している。当該軸部は、挟持片中心より連結片側寄りかつ挟持片中心より左側寄り、又は挟持片中心より連結片側寄りかつ挟持片中心より右側寄りの位置に配置されている。すなわち、前記挟持片の連結片側を北とすれば挟持片中心より略北西方向、又は略北東方向にずれた位置に配置されている。各レバーは当該軸部に軸支される形状を一部に有する略楕円形状の環体であって、軸部の中心を支点とし各レバーが回動し、前記挟持片の開閉操作をする起立位置と該起立位置から略９０度回動した倒れた位置とを移動可能であることにより、倒れた位置では隙間外に露出している各レバーをスライドさせることなく隙間内に収納できることを特徴とする。軸部は挟持片内面又は補助片内面に、直接加工で設けても良いし、別部材を固着して設けても良い。
【０００８】
このように構成すると、軸部の中心が挟持片中心より連結片側寄りかつ挟持片中心より左側寄り、又は挟持片中心より連結片側寄りかつ挟持片中心より右側寄りの位置に配置されることにより、移動は一方向に限られるが、クリップの不使用時に、各レバーを起立位置から略９０度回動した倒れた位置に移動させると、各レバーをスライドさせることなく隙間内に収納することができる。これにより、回動操作時に摘むためのレバーの一部を除き、レバーが外部に露出することがない。「回動」による操作のみにより各レバーを隙間内にほぼ収納することができる。
【０００９】
請求項２記載の発明のように、隙間内に、一対のレバーを開閉操作する位置で位置決めするための回動規制手段を設けるように構成すると、レバーは当該位置にて停止するため、レバー開閉操作が容易に行える。ここで回動規制手段は、挟持片片内面又は補助片内面に設ければ良く、それを設ける手段としては、直接加工しても良いし、又は別部材を接合しても良い。また、回動規制手段は、各レバーに対して一個だけでも良いが、複数個設けても良く、さらに、その形状は特に限定されず、例えば粒状や線上などが挙げられる。
【００１０】
前記回動規制手段は、隙間内にレバーが収納された際に当該レバーと交差しない状態に設けても良いが、請求項３記載の発明のように、前記回動規制手段の形状を突条とし、収納したレバーと交差するように設けておけば、レバーが収納されたときには、レバーを隙間内で更に強く押圧して収納状態を安定させることができる。
【００１１】
請求項４記載の発明のように、レバーの一部が軸部の外周に沿う全周にわたって湾曲した形状でなくても、略半周分湾曲していれば円弧状突部を設けることにより軸部に軸支される。請求項３記載の発明と同様のクリップを実現できる。
【発明の効果】
【００１２】
以上の説明から明らかなように、本発明にあっては次に列挙する効果がえられる。
（１）請求項１記載の発明は、挟持片と補助片との隙間に軸部を設け、スライドさせることなく回動操作のみによりレバーを前記隙間内に収納できるように構成することによって、クリップ不使用時には少なくとも一部を除きレバーを外側に露出しないようにしたので、書類の保管時や書類を捲る際にはレバーが邪魔になることはなく、非常に使い勝手の良いクリップを供給できるものである。レバーを開閉操作位置に移動する場合もスライド操作が不要であり、回動操作のみにより開閉操作位置に移動することができる。
【００１３】
（２）請求項２記載の発明は、請求項１記載の効果に加えて、レバーが開閉操作位置で停止するので、クリップの開閉操作を容易且つ安定的の行うことができる。
【００１４】
（３）請求項３記載の発明は、請求項２記載の効果に加えて、レバーの収納時に当該レバーは隙間内で強く押圧され収納状態が安定し、衝撃等により不意にレバーが回動して外に出ることがない。
【００１５】
（４）請求項４記載の発明は、レバーの一部が軸部の外周に沿う全周にわたって湾曲した形状でなくても、略半周分湾曲していれば円弧状突部を設けることにより軸部に軸支される。
【図面の簡単な説明】
【００１６】
【図１】本発明のクリップの実施例１を示す斜視図である。
【図２】図１において、クリップ開閉使用時の正面図である。
【図３】図１において、レバー収納時の正面図である。
【図４】図２のAーA線における断面図である。
【図５】図２のＢーＢ線における断面図である。
【図６】本発明のクリップの実施例２のクリップ開閉使用時の正面図である。
【図７】本発明のクリップの実施例３のクリップ開閉使用時の正面図である。
【図８】図７において、レバー収納時の正面図である。
【図９】図７のAーA線における断面図である。
【発明を実施するための形態】
【００１７】
以下、本発明の実施の形態について、図面に基づいて詳細に説明する。
【実施例１】
【００１８】
図１に斜視図を、図２にクリップ開閉時の正面図を、図３にレバー収納時の正面図を、図４および図５に断面図を示す。クリップ本体１は板状の弾性体により形成され、一対の挟持片２，２と、これら挟持片２，２を連結且つ一対の挟持片２，２を挟む方向に付勢する連結片３と、各挟持片の先端縁より各々の挟持片に沿って隙間８，８を保つよう外側に折り返してなる補助片４，４とを備えている。
【００１９】
前記一対の挟持片２，２の内面に、各隙間内に突出する軸部６，６を、プレス加工を施すことにより直接形成する。軸部６，６の中心は、挟持片２，２中心より連結片３側寄りかつ挟持片２，２中心より左側寄り付近に配置されている。換言すれば、図２の上方を北方向とすれば、挟持片２，２中心より略北西方向にずれた位置に配置されている。
【００２０】
レバー５，５は、クリップ本体１の横幅よりも長い略楕円形状の環体に形成してある。さらに、レバー５，５は一部が各軸部６の全周にほぼ沿う形で湾曲している。これにより、各軸部６に、クリップ本体１を開閉操作するためのレバー５，５が回動操作可能に軸支されている。さらに、挟持片２，２の内面には回動規制手段として、開閉使用時位置におけるレバー５の隙間内の直線部の左右に平行する形で、隙間側に突出する線上の突状７，７がプレス加工により直接形成してある。すなわち、収納時のレバー５に略直交する形で、プレス加工により直接形成してある。なお、隙間８の幅はレバー５の厚さ（太さ）と略一致するよう形成する。
【００２１】
以上のように構成された本発明に係るクリップは、レバー５，５を隙間８，８に安定的に収納でき、開閉操作も容易であり、回動操作も安定して行うことができる。
以下に本発明に係るクリップの具体的な使用方法を説明する。
【００２２】
クリップ本体１の開閉は、まず、レバー５，５を図２に示す起立位置（開閉使用位置）に回動させる。この回動の際、レバー５，５が一方の突条７を乗り越えて前記位置に達すると、レバー５，５は一対の突条７、７に挟み込まれて位置決めされる。次に位置決めされたレバー５，５の端部を摘み込むと、梃の原理によりクリップ本体１が開閉し、クリップ本体１を書類へ挟み込みこんだり、書類から抜き取ったりすることができる。この際、レバー５，５が位置決めされているため、安定してレバー５、５を摘み込むことができる。
【００２３】
レバー５、５の収納方法は、図３に示す様に、レバー５，５を起立位置から時計方向に略９０度回動した倒れた位置に移動すればスライドさせることなく隙間８，８に収納できる。収納された各レバー５は、補助片４と一対の突条７，７に強く押圧されているため収納状態が安定し、衝撃等により不意にレバー５，５が回動して外に出ることがない。
【００２４】
本発明に係るクリップの使用形態は、通常はレバー５，５を隙間８，８に収納しておき、クリップ本体１の開閉時のみレバー５，５を反時計方向に回動させれば良い。このようにすると、書類を捲る際にレバー５，５が邪魔にならず、また頻繁にレバー操作をする必要もないので、非常に使い勝手が良い。また、レバー５，５を隙間８，８に収納したことにより、レバー５，５は外部の衝撃から保護され、外観的にもクリップの体裁が良くなる。さらに、クリップ自体をケース等に収納する場合にも、嵩張らない。  
【実施例２】
【００２５】
図６に実施例２のクリップ開閉時の正面図を示す。レバー５，５は一部が各軸部６の外周に接するようほぼ正方形の形状となっている。これにより、各軸部６にクリップ本体１を開閉操作するためのレバー５，５が回動操作可能に軸支されている。つまり、実施例１、下記実施例３のようにレバー５，５の一部が各軸部６の外周に沿う形で湾曲した形状でなくとも、本発明を実施することができる。
【実施例３】
【００２６】
図７に実施例３のクリップ開閉時の正面図を、図８にレバー収納時の正面図を、図９に断面図を示す。レバー５，５は一部が各軸部６の外周の約半周分沿う形で湾曲している。さらに、当該レバーの湾曲部の一部に沿う形で円弧状突部９が配置されている。これにより、各軸部６にクリップ本体１を開閉操作するためのレバー５，５が回動操作可能に軸支されている。
【産業上の利用可能性】
【００２７】
本発明は、クリップを製造する産業で利用される。
【符号の説明】
【００２８】
１  クリップ本体
２  挟持片
３  連結片
４  補助片
５  レバー
６  軸部
７  突条（回動規制手段）
８  隙間
９  円弧状突部
【図１】
0005451826.tif 000002
【図２】
0005451826.tif 000003
【図３】
0005451826.tif 000004
【図４】
0005451826.tif 000005
【図５】
0005451826.tif 000006
【図６】
0005451826.tif 000007
【図７】
0005451826.tif 000008
【図８】
0005451826.tif 000009
【図９】
0005451826.tif 000010